(57)【要約】【課題】  光源が照射した光が原稿で反射した反射光を、光学系を通して受光し、画素毎に走査し、イメージセンサが電気信号に変換する画像読取において、必要のない予熱を無くし、熱ダレを防止することができる画像読取装置、画像読取装置の制御方法、プログラムおよび記憶媒体を提供することを目的とするものである。【解決手段】  読取り対象である原稿を照射する光源と、上記光源が照射した光が原稿で反射した反射光を、光学系を通して受光し、画素毎に走査し、電気信号に変換するイメージセンサと、上記光源の温度を調節するために予熱する予熱手段と、上記イメージセンサが出力した出力信号が、所定の範囲に安定したことを検出する出力信号安定検出手段とを具備する画像読取装置である。【選択図】  図１
2005115704.tif 000002
【特許請求の範囲】
【請求項１】
読取り対象である原稿を照射する光源と、上記光源が照射した光が原稿で反射した反射光を、光学系を通して受光し、画素毎に走査し、電気信号に変換するイメージセンサと、上記光源の温度を調節するために予熱する予熱手段と、上記イメージセンサが出力した出力信号が、所定の範囲で安定したことを検出する出力信号安定検出手段とを具備する画像処理装置において、
上記予熱手段は、所定の予熱時間が経過したときに上記イメージセンサが出力した出力信号の値と、上記イメージセンサが以前出力した出力信号の値との差が所定の範囲であれば、予熱を終了する手段であることを特徴とする画像読取装置。
【請求項２】
請求項１において、
上記予熱手段は、上記イメージセンサが出力した出力信号の値には関係なく、所定時間が経過すると、予熱を終了する手段であることを特徴とする画像読取装置。
【請求項３】
請求項２において、
上記予熱手段は、上記イメージセンサが出力した出力信号の値には関係なく、所定時間予熱する手段であることを特徴とする画像読取装置。
【請求項４】
読取り対象である原稿を光源が照射する照射段階と、上記光源が照射した光が原稿で反射した反射光を、光学系を通して受光し、イメージセンサが、画素毎に走査し、電気信号に変換する変換段階と、上記光源の温度を調節するために予熱手段が予熱する予熱段階と、上記イメージセンサが出力した出力信号が、所定の範囲で安定したことを検出する出力信号安定検出段階とを具備する画像読取装置の制御方法において、
上記予熱段階は、所定の予熱時間が経過したときに上記イメージセンサが出力した出力信号の値と、上記イメージセンサが以前出力した出力信号の値との差が所定の範囲であれば、予熱を終了する段階であることを特徴とする画像読取装置の制御方法。
【請求項５】
読取り対象である原稿を光源が照射する照射手順と、上記光源が照射した光が原稿で反射した反射光を、光学系を通して受光し、イメージセンサが、画素毎に走査し、電気信号に変換する変換手順と、上記光源の温度を調節するために予熱手段が予熱する予熱手順と、上記イメージセンサが出力した出力信号が、所定の範囲で安定したことを検出する出力信号安定検出手順とをコンピュータに実行させるプログラムであって、
上記予熱手順は、所定の予熱時間が経過したときに上記イメージセンサが出力した出力信号の値と、上記イメージセンサが以前出力した出力信号の値との差が所定の範囲であれば、予熱を終了する手順であることを特徴とするプログラム。
【請求項６】
読取り対象である原稿を光源が照射する照射手順と、上記光源が照射した光が原稿で反射した反射光を、光学系を通して受光し、イメージセンサが、画素毎に走査し、電気信号に変換する変換手順と、上記光源の温度を調節するために予熱手段が予熱する予熱手順と、上記イメージセンサが出力した出力信号が、所定の範囲で安定したことを検出する出力信号安定検出手順とをコンピュータに実行させるプログラムを記憶したコンピュータ読取可能な記憶媒体であって、
上記予熱手順は、所定の予熱時間が経過したときに上記イメージセンサが出力した出力信号の値と、上記イメージセンサが以前出力した出力信号の値との差が所定の範囲であれば、予熱を終了する手順であることを特徴とする記憶媒体。
【発明の詳細な説明】
【技術分野】
【０００１】
本発明は、イメージスキャナ装置、ファクシミリ装置等における画像読取装置、その制御方法に係り、特に、光源を原稿に照射し、その反射光を受光素子であるＣＣＤデバイス等で撮像する画像読取装置、画像読取装置の制御方法、プログラムおよび記憶媒体に関する。
【背景技術】
【０００２】
従来から、装置を低コストにするために、光源についても、安価なＬＥＤ等が使用されることが多く、特に、カラースキャナの場合は、ＲＧＢの３色使用しているので、光源のコストが高く、光源のコストダウンが要求されている。
【０００３】
上記のような装置では、絶対的な光量が少ないので、安定した画像情報を得るために、読取りの蓄積時間を長くし、また、受光系の感度を上げることが必要になり、十分な光量を得るために、６０秒程度、光源を予熱している（たとえば、特許文献１参照）。
【特許文献１】特開平１１−２１５３１７号公報
【発明の開示】
【発明が解決しようとする課題】
【０００４】
しかし、上記従来技術では、光源が温まっている場合や、個々の光源の個体差によって、温まりやすいものがあるにもかかわらず、必ず６０秒程度、光源の予熱を行なう。
【０００５】
したがって、上記従来例では、必要のない予熱を行っている場合があるという問題があり、このために、熱ダレや無駄な処理が発生するという問題がある。
【０００６】
本発明は、光源が照射した光が原稿で反射した反射光を、光学系を通して受光し、画素毎に走査し、イメージセンサが電気信号に変換する画像読取において、必要のない予熱を無くし、熱ダレを防止することができる画像読取装置、画像読取装置の制御方法、プログラムおよび記憶媒体を提供することを目的とするものである。
【課題を解決するための手段】
【０００７】
本発明は、読取り対象である原稿を照射する光源と、上記光源が照射した光が原稿で反射した反射光を、光学系を通して受光し、画素毎に走査し、電気信号に変換するイメージセンサと、上記光源の温度を調節するために予熱する予熱手段と、上記イメージセンサが出力した出力信号が、所定の範囲に安定したことを検出する出力信号安定検出手段とを具備する画像読取装置である。
【発明の効果】
【０００８】
本発明によれば、イメージセンサが出力する出力信号の値と時間との関係に応じて、予熱時間を決定するので、必要のない予熱を行なうことがなく、また、熱ダレを防止することができ、無駄な処理時間を省くことができ、処理速度を向上させることができるという効果を奏する。
【発明を実施するための最良の形態】
【０００９】
発明を実施するための最良の形態は、次の実施例である。
【実施例１】
【００１０】
図１は、本発明の実施例１である多機能周辺機器（ＭＦＰ）１００の回路構成を示すブロック図である。
【００１１】
多機能周辺機器（ＭＦＰ  Ｍｕｌｔｉ  Ｆｕｎｃｔｉｏｎ  Ｐｅｒｉｐｈｅｒａｌ）１００は、スキャニング機能、プリンティング機能、コピー機能を併せ持つ機器であり、ＣＰＵ１０１と、ＲＯＭ１０２と、プリンタ１０３と、ＳＲＡＭ１０４と、ＤＲＡＭ１０５と、イメージプロセッサ１０６と、イメージセンサ１０７と、操作パネル１０８と、ディスプレイ１０９と、ＰＣ  Ｉ／Ｆ１１０とを有する。
【００１２】
ＣＰＵ１０１は、多機能周辺機器１００のシステム制御部であり、多機能周辺機器１００の全体を制御する。ＲＯＭ１０２は、多機能周辺機器１００のシステム制御プログラムを格納するものである。なお、ＣＰＵ１０１は、ＲＯＭ１０２に格納されている制御プログラムに基づいて、多機能周辺機器１００に関する各種の動作を実行する。このようなＣＰＵ１０１の制御プログラムは、ＲＯＭ１０２に格納されているものに限らず、フロッピー（登録商標）ディスクやＣＤ−ＲＯＭ等による外部の記憶媒体に記憶されているものでもよく、これを専用の読取装置によって、多機能周辺機器１００のＲＡＭ（たとえばＳＲＡＭ１０４）に取り込み、これをＣＰＵ１０１が解読し、実行するようにしてもよい。
【００１３】
プリンタ１０３は、入力された画像データを記録紙に印字する。ＳＲＡＭ１０４は、主に、多機能周辺機器１００の登録データ等を格納するものであり、ＤＲＡＭ１０５は、主に、画像データを格納するものである。
【００１４】
イメージプロセッサ１０６は、イメージセンサ１０７が出力した画像データに、各種画像処理を施すものである。イメージセンサ１０７は、原稿上の画像の読取りを行う接触型読取りセンサである。
【００１５】
操作パネル１０８は、装置の状態等を表示するディスプレイ１０９を有し、オペレータからの動作指示入力、各種データ登録、ディスプレイ１０９を通じて行う画像読取装置１００の状態を、ディスプレイ１０９を介して確認することができる。
【００１６】
ＰＣ  Ｉ／Ｆ１１０は、多機能周辺機器１００とＰＣ１１１とを接続するインタフェースであり、ＰＣ１１１は、ＰＣ  Ｉ／Ｆ１１０を介して、多機能周辺機器１００の各種設定データ変更や各種動作の起動要求を行うホストコンピュータである。
【００１７】
図２は、多機能周辺機器１００に設けられている操作パネル１０８の構成を示す図である。
【００１８】
操作パネル１０８は、電源キー２０１と、ディスプレイ２０２と、モード切替キー２０３と、メニューキー２０４と、ファンクションキー２０５と、ナビシートキー２０６と、選択キー２０７、２０８と、セットキー２０９と、ディレクトリキー２１０と、リダイアル／ポーズキー２１１と、テンキー２１２と、ストップキー２１３と、モノクロスタートキー２１４と、カラースタートキー２１５とを有する。
【００１９】
電源キー２０１は、本装置の電源のＯＮ／ＯＦＦを行う。ディスプレイ２０２は、多機能周辺機器１００の状態や設定項目を表示する。モード切替キー２０３は、多機能周辺機器１００のスタンバイ状態を、コピーモード、ファックスモード、スキャナモード、フォトモードのいずれかのモードに切り替えるキーである。
【００２０】
メニューキー２０４は、多機能周辺機器１００の各種設定を行い、選択キー２０７、２０８で設定を選択するキーである。ファンクションキー２０５は、プリンタの設定等、各種設定を行うキーである。
【００２１】
ナビシートキー２０６は、フォトナビシートの出力と、スキャンとを行うキーである。
【００２２】
セットキー２０９は、多機能周辺機器１００の各種設定項目の設定を決定するキーである。リダイアル／ポーズキー２１１は、ファックスのリダイアルを行うキーである。
【００２３】
テンキー２１２は、コピー枚数等の数値入力を行うキーである。ストップキー２１３は、多機能周辺機器１００の動作を停止させるキーである。
【００２４】
モノクロスタートキー２１４は、多機能周辺機器１００でモノクロ読取りを開始させるキーである。カラースタートキー２１５は、多機能周辺機器１００でカラー読取りを開始させるキーである。
【００２５】
次に、多機能周辺機器１００の動作について説明する。
【００２６】
図３は、多機能周辺機器１００の動作を示すフローチャートである。
【００２７】
多機能周辺機器１００は、受光素子としてＣＣＤセンサを用いている。
【００２８】
電源キー２０１を押下すると、多機能周辺機器１００の電源が立ち上がり、電源立ち上げと同時に、各種初期設定を行い（Ｓ１）、光源の予熱を開始する。予熱を行う出力電圧は、２４Ｖであり、イメージセンサの出力データを検出するモードは、解像度１２００ＤＰＩで、緑の光源を使用し、イメージセンサからの出力データ取得（以下、データ取得）を行う。
【００２９】
予熱工程開始後、５秒間は、データ取得を行わず、予熱を行う。データ取得方法は、１秒毎に、イメージセンサの位置を移動せず、初期位置で白基準板を１ライン読み、最高値データを４回取得し、その平均値をイメージセンサの出力データ（以下、出力値）として取得している。
【００３０】
予熱開始５秒後からデータ取得を行い、最初のデータ取得で、データ取得開始から５秒以内におけるデータ取得値が２９２９８／６５５３５（１６ビットデータ）に達しなければ（Ｓ２〜Ｓ４）、光源が温まっていないと判断し、「ＬＬＷＡＹ」に移行する。
【００３１】
一方、最初のデータ取得で、データ取得開始から５秒以内におけるデータ取得値が２９２９８／６５５３５（１６ビットデータ）に達していれば（Ｓ４）、光源が温まっていると判断し、「ＮＯＲＭＡＬＷＡＹ」に移行する（Ｓ２１）。
【００３２】
なお、上記「ＬＬＷＡＹ」、「ＮＯＲＭＡＬＷＡＹ」は、データ取得開始から５秒以内のデータに応じて、次の予熱方法を決定する場合における上記予熱方法の状態を表す名称であり、上記「ＬＬＷＡＹ」は、データ取得開始から５秒以内におけるデータ取得値が２９２９８／６５５３５（１６ビットデータ）に達していれば、「ＬＬＷＡＹ」という名称の予熱方法に移行し、一方、データ取得開始から５秒以内におけるデータ取得値が２９２９８／６５５３５（１６ビットデータ）に達していなければ、「ＮＯＲＭＡＬＷＡＹ」という名称の予熱方法に移行する。
【００３３】
図４は、上記実施例において、ＬＬＷＡＹに移行した場合の動作を示すフローチャートである。
【００３４】
ＬＬＷＡＹに移行してから１秒毎にデータを取得し（Ｓ１１、Ｓ１２）、その出力値が４５２３２／６５５３５（以下、「予熱終了閾値」という）に達し（Ｓ１３）、前回との出力値の差が１０２８／６５５３５（以下、「ＬＬＷＡＹ閾値」という）未満であれば（Ｓ１４）、予熱を終了する。
【００３５】
前回の出力値との差がＬＬＷＡＹ閾値以上であれば、再度データ取得を行い、前回の出力値と比較する。予熱終了閾値に達していなければ、データを再度取得し、上記予熱終了閾値（４５２３２／６５５３５）を超えていれば、前回出力値と比較する。さらに、データ取得値が上記予熱終了閾値に達していなくても、９０秒経過したら（Ｓ１５）、予熱を終了する。
【００３６】
図５は、上記実施例において、ＮＯＲＭＡＬＷＡＹに移行した場合における動作を示すフローチャートである。
【００３７】
ＮＯＲＭＡＬＷＡＹに移行してから、１秒毎にデータ取得し（Ｓ２１、Ｓ２２）、その出力値が予熱終了閾値に達し（Ｓ２３）、前回との出力値との差が、５１４／６５５３５（以下、「ＮＯＲＭＡＬＷＡＹ閾値」という）未満であれば（Ｓ２４）、予熱を終了する。前回との出力値の差が、上記ＮＯＲＭＡＬＷＡＹ閾値以上であれば、データ取得を再度行い（Ｓ２１、Ｓ２２）、前回の出力値と比較する。
【００３８】
上記予熱終了閾値に達していなければ、データを再度取得し、上記予熱終了閾値を超えていれば、前回出力値と比較する。多機能周辺機器１００で使用しているＣＣＤセンサは、光源の温度が温まった場合に、出力値が下がる傾向にあるので、データ取得開始後１７秒経過し（Ｓ２５）、その出力値が３５２０９／６５５３５に達し（Ｓ２６）、しかも、前回の出力値と比較し、出力値が連続して３秒以上下がっていれば（Ｓ２７）、予熱を終了させる。
【００３９】
また、データ取得値が、上記予熱終了閾値に達していなくても、３０秒経過したら（Ｓ２８）、予熱を終了させる。
【００４０】
上記予熱処理において、光源の温まり具合で、予熱処理を分ける必要があるので、予熱方法を、ＬＬＷＡＹとＮＯＲＭＡＬＷＡＹとで区別している。
【００４１】
図６は、上記実施例における予熱時間と光源の出力との関係を示すグラフである。
【００４２】
図６に示すように、光源が温まっていない場合には、３０秒経過後も光源の出力が安定しないので、予熱開始５秒後に光源が温まっていなければ、ＮＯＲＭＡＬＷＡＹの方法では、予熱処理を完了させることができない。そのため、予熱開始時に、光源が温まっているかどうかに応じて、予熱方法をＬＬＷＡＹとＮＯＲＭＡＬＷＡＹとに分けて予熱処理を行っている。
【００４３】
本実施例では、予熱工程においては、時間と出力値との関係によって予熱の終了を判断するが、装置の機械構造や特性によって異なるので、必ずしも上記と同じではない。
【００４４】
また、上記実施例に記載されている構成要素の相対配置、表示画面等について、上記とは異なる相対配置、表示画面を使用するようにしてもよい。
【００４５】
つまり、上記実施例は、読取り対象である原稿を照射する光源と、上記光源が照射した光が原稿で反射した反射光を、光学系を通して受光し、画素毎に走査し、電気信号に変換するイメージセンサと、上記光源の温度を調節するために予熱する予熱手段と、上記イメージセンサが出力した出力信号が、所定の範囲で安定したことを検出する出力信号安定検出手段とを具備する画像処理装置において、上記予熱手段は、所定の予熱時間が経過したときに上記イメージセンサが出力した出力信号の値と、上記イメージセンサが以前出力した出力信号の値との差が所定の範囲であれば、予熱を終了する手段である画像読取装置の例である。
【００４６】
この場合、上記予熱手段は、上記イメージセンサが出力した出力信号の値には関係なく、所定時間が経過すると、予熱を終了する手段であってもよく、また、上記予熱手段は、上記イメージセンサが出力した出力信号の値には関係なく、所定時間予熱する手段であってもよい。
【００４７】
また、上記実施例をプログラムの発明として把握することができる。
【００４８】
つまり、上記実施例は、読取り対象である原稿を光源が照射する照射手順と、上記光源が照射した光が原稿で反射した反射光を、光学系を通して受光し、イメージセンサが、画素毎に走査し、電気信号に変換する変換手順と、上記光源の温度を調節するために予熱手段が予熱する予熱手順と、上記イメージセンサが出力した出力信号が、所定の範囲で安定したことを検出する出力信号安定検出手順とをコンピュータに実行させるプログラムであって、上記予熱手順は、所定の予熱時間が経過したときに上記イメージセンサが出力した出力信号の値と、上記イメージセンサが以前出力した出力信号の値との差が所定の範囲であれば、予熱を終了する手順であるプログラムの例である。
【００４９】
さらに、上記プログラムを、ＦＤ、ＣＤ、ＤＶＤ、ＨＤ、半導体メモリ等の記憶媒体に記憶するようにしてもよい。
【図面の簡単な説明】
【００５０】
【図１】本発明の実施例１である多機能周辺機器（ＭＦＰ）１００の回路構成を示すブロック図である。
【図２】多機能周辺機器１００に設けられている操作パネル１０８の構成を示す図である。
【図３】多機能周辺機器１００の動作を示すフローチャートである。
【図４】上記実施例において、ＬＬＷＡＹに移行した場合の動作を示すフローチャートである。
【図５】上記実施例において、ＮＯＲＭＡＬＷＡＹに移行した場合における動作を示すフローチャートである。
【図６】上記実施例における予熱時間と光源の出力との関係を示すグラフである。
【符号の説明】
【００５１】
１００…多機能周辺機器、
１０１…ＣＰＵ、
１０２…ＲＯＭ、
１０８…操作パネル。
【図１】
2005115704.tif 000003
【図２】
2005115704.tif 000004
【図３】
2005115704.tif 000005
【図４】
2005115704.tif 000006
【図５】
2005115704.tif 000007
【図６】
2005115704.tif 000008